(57)【要約】【課題】  幅方向の小形化を実現し、規格化された配線器具取付枠にも対応できる光コンセントを提供する。【解決手段】  配線器具取付枠１を介して室内壁面に装着されるとともに、内部にアダプタ取付部１１，１２が形成された本体ケース１０と、アダプタ取付部１１，１２に装着される光アダプタ２０とを備える。光アダプタ２０は、四角形状のアダプタ本体によって外形状が形成されている。さらにアダプタ本体は、内部に光コネクタを接続するためのコネクタ接続部を備えており、幅方向両側面に突き出し部分のない外形状となっている。【選択図】      図２
2008217043.tif 000002
【特許請求の範囲】
【請求項１】
日本工業規格にて寸法形状が規格化された配線器具取付枠を介して室内壁面に装着されるとともに、幅寸法が前記規格の配線器具ボス幅寸法によって制約を受ける構成の光コンセントであって、
内部にアダプタ取付部が形成された本体ケースと、前記アダプタ取付部に装着される光ファイバーアダプタとを備え、
前記光ファイバーアダプタは、ＳＣコネクタを接続するためのコネクタ接続部を内部に備えたアダプタ本体と、内部接続ラッチ部材とを含み、
前記コネクタ接続部は、前後両端が開口するとともに、前後方向中央部には内側面に係止凸部が形成してあり、
前記内部接続ラッチ部材は、前記コネクタ接続部の内部形状に対応した外形寸法に形成された基部と、この基部の中央部で軸方向に延出して形成された円筒部と、この円筒部に嵌め込まれた円筒状スリーブとを有し、当該円筒状スリーブが前記コネクタ接続部に差し込まれたＳＣコネクタのフェルールを保持する構成であり、
更に、前記内部接続ラッチ部材は、前記基部が前記コネクタ接続部に一方の開口から嵌め込まれ、前記係止凸部に係合することで、前記コネクタ接続部の前後方向中央部に配設され、
且つ、前記本体ケースのアダプタ取付部に、前記光ファイバーアダプタを係止するための係止部を形成するとともに、
前記アダプタ本体は、前記本体ケースの幅方向と対応する幅方向の両側面が平坦な外面形状であり、且つ当該幅方向両側面と直交する厚さ方向の側面に、前記係止部と係合する被係止部を形成した光コンセント。
【請求項２】
前記光ファイバーアダプタのコネクタ接続部を、幅方向に２本の光ファイバーを固定した二芯の光ファイバーコネクタを差し込み接続可能な寸法形状に形成した請求項１の光コンセント。
【請求項３】
前記アダプタ取付部に形成された係止部を凹又は凸形状に形成するとともに、
前記アダプタ本体の被係止部を、前記係止部と係合する凸又は凹形状に形成した請求項１または２の光コンセント。
【請求項４】
前記光ファイバーアダプタのコネクタ接続部を、単芯の光ファイバーコネクタを差し込み接続可能な寸法形状に形成した請求項１の光コンセント。
【請求項５】
前記光ファイバーアダプタを幅方向に接触して２個並べた状態において、各光ファイバーアダプタのコネクタ接続部に差し込まれる光ファイバー間のピッチが、二芯の光ファイバーコネクタに固定された２本の光ファイバー間のピッチとなるように、前記光ファイバーアダプタを構成した請求項４の光コンセント。
【請求項６】
前記アダプタ取付部を、前記光ファイバーアダプタを幅方向に接触して２個並べて装着可能な幅寸法に形成するとともに、当該アダプタ取付部に、前記各光ファイバーアダプタのアダプタ本体を係止するための係止部を形成し、
かつ、前記アダプタ本体の厚さ方向の側面に、前記係止部と係合する被係止部を形成し、
前記係止部と被係止部とが、前記アダプタ取付部に前記アダプタ本体を２個並べて取り付けたとき、これらアダプタ本体を前記アダプタ取付部の適正位置に位置決めする位置決め手段を構成する請求項５の光コンセント。
【請求項７】
前記アダプタ取付部に形成された係止部を凹又は凸形状に形成するとともに、
前記アダプタ本体の被係止部を、前記係止部と係合する凸又は凹形状に形成した請求項６の光コンセント。
【発明の詳細な説明】
【技術分野】
【０００１】
この発明は、光ファイバーコネクタで成端された光ファイバーケーブル等が接続される光コンセントに関する。
【背景技術】
【０００２】
超高速インターネット接続技術の発展にともない、一般住宅においても、アクセス回線として光ファイバーケーブル（以下、単に「光ファイバー」ということもある）を利用したインターネット接続サービス、いわゆるＦＴＴＨ(Fiber To The Home)の導入が進みつつある。
この種のインターネット接続サービスの一般住宅への普及推進には、宅内の各部屋で容易に光ファイバーを接続できる屋内配線器具（光コンセント）の開発が欠かせない。
【０００３】
特に、既存の配線器具取付枠に取付け可能な光コンセントは、光ファイバーの宅内引き込み件数を飛躍的に増大させ得るものと予想される。すなわち、コンセントやスイッチなどの屋内配線器具の取付枠は、ＪＩＳ（日本工業規格）において寸法形状が規格化されており、各種屋内配線器具を共通に取付可能となっている。このように規格化された配線器具取付枠を利用して、光コンセントの取付け工事が可能となれば、既存住宅においても光コンセントを容易に施設することができ、光ファイバーの接続環境を容易に整えることが可能となる。
【０００４】
一方、規格化された配線器具取付枠を利用した場合、それに取り付けられる光コンセントの幅寸法は、必然的に配線器具取付枠の幅寸法によって制約を受けることになる。
【０００５】
また、光コンセントは、一般に光ファイバーアダプタを内蔵している。光ファイバーアダプタは、光ファイバーの先端に設けられた光ファイバーコネクタを接続するための構成部品である。光コンセントには、この光ファイバーアダプタが内蔵され、当該光ファイバーアダプタに光コネクタが差し込み接続される。
【０００６】
しかしながら、従来の光ファイバーアダプタの多くは、特許文献１の図５に示すように、幅方向両側面に取付け用のフランジ（１７）が突き出しており、このフランジ（１７）を装着対象にねじ止めする構成となっていた。また、幅方向両側面にフランジ（１７）のねじ止め構成を有しない光ファイバーアダプタも存在したが、やはり幅方向両側面から取付部への係止用突起が突き出していたので、これらフランジ（１７）や係止用突起の突き出し部分が障害となって、光コンセント全体の幅寸法を短縮することができず、このことが既存の規格化された配線器具取付枠への対応を困難としていた。
【特許文献１】特開平９−２１１２６４号公報、図５参照
【発明の開示】
【発明が解決しようとする課題】
【０００７】
本発明は、上述した事情に鑑みてなされたもので、幅方向の小形化を実現し、規格化された配線器具取付枠にも対応できる光コンセントの提供を目的とする。
【課題を解決するための手段】
【０００８】
上記目的を達成するために、本発明は、日本工業規格にて寸法形状が規格化された配線器具取付枠を介して室内壁面に装着されるとともに、幅寸法が規格の配線器具ボス幅寸法によって制約を受ける構成の光コンセントであって、
内部にアダプタ取付部が形成された本体ケースと、アダプタ取付部に装着される光ファイバーアダプタとを備え、
光ファイバーアダプタは、ＳＣコネクタを接続するためのコネクタ接続部を内部に備えたアダプタ本体と、内部接続ラッチ部材とを含み、
コネクタ接続部は、前後両端が開口するとともに、前後方向中央部には内側面に係止凸部が形成してあり、
内部接続ラッチ部材は、コネクタ接続部の内部形状に対応した外形寸法に形成された基部と、この基部の中央部で軸方向に延出して形成された円筒部と、この円筒部に嵌め込まれた円筒状スリーブとを有し、当該円筒状スリーブがコネクタ接続部に差し込まれたＳＣコネクタのフェルールを保持する構成であり、
更に、内部接続ラッチ部材は、基部がコネクタ接続部に一方の開口から嵌め込まれ、係止凸部に係合することで、コネクタ接続部の前後方向中央部に配設され、
且つ、本体ケースのアダプタ取付部に、光ファイバーアダプタを係止するための係止部を形成するとともに、
アダプタ本体は、本体ケースの幅方向と対応する幅方向の両側面が平坦な外面形状であり、且つ当該幅方向両側面と直交する厚さ方向の側面に、係止部と係合する被係止部を形成したことを特徴とする。
【０００９】
アダプタ本体を幅方向両側面に突き出し部分のない形状としたことにより、このアダプタ本体が装着されるアダプタ取付部の幅寸法を縮小することができ、その結果、光コンセント全体の幅寸法を縮小して小形化を実現することができる。このようにして小形化を実現した本発明の光コンセントは、規格化された配線器具取付枠にも容易に適合させることができる。
【００１０】
上記本発明の光コンセントは、光ファイバーアダプタのコネクタ接続部を、幅方向に２本の光ファイバーを固定した二芯の光ファイバーコネクタを差し込み接続可能な寸法形状に形成することができる。
【００１１】
ここで、アダプタ取付部に、光ファイバーアダプタを係止するための係止部を形成するとともに、アダプタ本体の厚さ方向の側面に、係止部と係合する被係止部を形成することが好ましい。このように、厚さ方向の側面に被係止部を形成することで、幅寸法の拡大を回避することができる。
例えば、アダプタ取付部に形成された係止部を凹又は凸形状に形成し、アダプタ本体の被係止部を、上記係止部と係合する凸又は凹形状に形成すればよい。
【００１２】
また、本発明の光コンセントは、光ファイバーアダプタのコネクタ接続部を、単芯の光ファイバーコネクタを差し込み接続可能な寸法形状に形成することもできる。
【００１３】
ここで、上記単芯の光ファイバーコネクタに適合する光ファイバーアダプタを幅方向に接触して２個並べた状態において、各光ファイバーアダプタのコネクタ接続部に差し込まれた光ファイバー間のピッチが、二芯の光ファイバーコネクタに固定された２本の光ファイバー間のピッチとなるように、アダプタ本体を構成することが好ましい。
なお、二芯の光ファイバーコネクタは、幅方向に２本の光ファイバーを並べて固定している。
【００１４】
このように構成すれば、単芯の光ファイバーコネクタに適合する光ファイバーアダプタを２個用いて、二芯の光ファイバーコネクタに適合する光ファイバーアダプタと同等の構成を実現することができる。したがって、単芯の光ファイバーコネクタに適合する光ファイバーアダプタだけで、二芯の光ファイバーコネクタに適合する構成の光コンセントを製造することもでき、部品の品種の削減を図ることが可能となる。
【００１５】
この場合、アダプタ取付部は、アダプタ本体を幅方向に接触して２個並べて取付可能な幅寸法に形成する。さらに、当該アダプタ取付部に、各アダプタ本体を係止するための係止部を形成するとともに、アダプタ本体の厚さ方向の側面に、係止部と係合する被係止部を形成することが好ましい。
【００１６】
ここで、係止部と被係止部とが、アダプタ取付部にアダプタ本体を２個並べて取り付けたとき、これらアダプタ本体をアダプタ取付部の適正位置に位置決めする位置決め手段を構成するようにすれば、２個の光ファイバーアダプタを容易に位置決めして本体ケースに組み込むことが可能となり、作業性が向上する。
【００１７】
例えば、アダプタ取付部に形成された係止部は、凹又は凸形状に形成することができ、これに対応してアダプタ本体の被係止部は、係止部と係合する凸又は凹形状に形成することができる。
【発明の効果】
【００１８】
本発明によれば、アダプタ本体を幅方向両側面に突き出し部分のない外形状としたことにより、このアダプタ本体が装着されるアダプタ取付部の幅寸法を縮小することができ、その結果、光コンセント全体の幅寸法を縮小して小形化を実現することができる。このようにして小形化を実現した本発明の光コンセントは、規格化された配線器具取付枠にも容易に適合させることができる。
【発明を実施するための最良の形態】
【００１９】
以下、この発明の実施の形態について図面を参照して詳細に説明する。
〔光コンセントの全体構造〕
図１はこの発明の実施形態に係る光コンセントの全体構成を示す側面断面図、図２は光コンセントの配線器具取付枠への装着状態を示す側面断面図である。
【００２０】
これらの図において、光コンセントは、本体ケース１０と、機器側および幹線側の各光ファイバーアダプタ（以下、単に「光アダプタ」という）２０，２０と、これら各光アダプタ２０，２０間を光学的に接続する中継光ファイバー３０とを備えている。
ここで、「機器側」とは、居室に設置されている通信機器端末等と接続される側をいい、「幹線側」とは、屋外から室内壁の内部を経由して引き回されてきた光ファイバーが接続される側をいう。
【００２１】
本体ケース１０は、規格化された既成の配線器具取付枠１にコンセントやスイッチと同様に着脱自在となっている（図２参照）。このために、本体ケース１０の周縁には配線器具取付枠１への係合部（図示せず）が形成してある。配線器具取付枠１には、化粧プレート２が着脱自在となっている。化粧プレート２は、配線器具取付枠１に装着された本体ケース１０の正面側の周囲に装着される。
【００２２】
本体ケース１０は、内部に中空部１０ａが形成してあり、その内部正面側には、下向きに開口する機器側アダプタ取付部１１が形成してある。この機器側アダプタ取付部１１には、機器側の光アダプタ２０が装着してある。さらに、本体ケース１０の内部背面側には、斜め下向きに開口する幹線側アダプタ取付部１２が形成してあり、この幹線側アダプタ取付部１２に幹線側の光アダプタ２０が装着してある。
【００２３】
機器側および幹線側の各光アダプタ２０，２０には、後述する構造の二芯用光アダプタ２０Ａ（図３参照）又は単芯用光アダプタ２０Ｂ（図４参照）が用いられる。
【００２４】
これら機器側および幹線側の各光アダプタ２０，２０は、本体ケース１０の中空部１０ａ内で中継光ファイバー３０により光学的に接続されている。
中継光ファイバー３０としては、細くしなやかでシンプルな光ファイバー心線または光ファイバー素線を用いることが好ましい。中継光ファイバー３０には、外力による引張・捻り・曲げ・圧縮等の応力が作用しないから、戸外や屋内配線に使われる光ファイバーや光ファイバーコードの如き抗張力材・シース等の構造が不要である。そのため、細くしなやかでシンプルな光ファイバー心線または光ファイバー素線を利用することができる。これによって、本体ケース１０内の限られた中空部１０ａ内で無理なく各光アダプタ２０，２０の接続が可能となる。
なお、中継光ファイバー３０の両端には、フェルール３１，３２が取り付けてあり、これらフェルール３１，３２が、各光アダプタ２０，２０に差し込み接続されている。
【００２５】
〔光アダプタの基本構造１：二芯用光アダプタ〕
図３は、二芯の光ファイバーコネクタ（以下、単に「二芯光コネクタ」という）に対応した構成の光アダプタ（二芯用光アダプタ）を示す図で、（ａ）は斜視図、（ｂ）は縦断面図、（ｃ）は横断面図である。
【００２６】
同図に示した二芯用光アダプタ２０Ａは、図６（ａ）に示すような二芯光コネクタ４０Ａが接続できる構成となっている。
図６（ａ）に示す二芯光コネクタ４０Ａは、コネクタ連結部４１に２個のＳＣコネクタ４２，４２が幅方向に並べて設けられており、これら各ＳＣコネクタ４２，４２に内蔵したフェルール４３，４３に、それぞれ光ファイバー４４，４４の先端が接続固定されている。すなわち、２本の光ファイバー４４，４４は、幅方向に並べた状態で二芯光コネクタ４０Ａに固定されている。
【００２７】
ここで、二芯光コネクタ４０Ａに固定された２本の光ファイバー４４，４４のピッチ（中心間距離）、換言すれば各ＳＣコネクタ４２，４２に内蔵したフェルール４３，４３のピッチ（中心間距離）は、Ｌに設定されている。
なお、各ＳＣコネクタ４２，４２の表面には、ガイド突起４５と、図示しないストッパ溝とが形成されている。
【００２８】
二芯用光アダプタ２０Ａは、アダプタ本体２１と、内部接続ラッチ部材２２と、シャッタ板２３とを備えている。
アダプタ本体２１は、本実施の形態では、外観が四角形状をしており、内部は前後両端が開口した中空部となっている。図３（ｃ）に示すように、アダプタ本体２１の内部は、幅方向中央部を前後方向に延びる隔壁２１ａによって仕切られており、これにより幅方向に二つのコネクタ接続部２４，２４が並べて形成されている。各コネクタ接続部２４，２４は、図６（ａ）に示した二芯光コネクタ４０Ａが差し込み接続できる内部形状に形成されている。
なお、各コネクタ接続部２４，２４の前後方向中央部には、内側面に係止凸部２５が形成してある。
【００２９】
内部接続ラッチ部材２２は、基部２２ａと、円筒部２２ｂと、金属製の円筒状スリーブ２２ｃと、ラッチ片２２ｄとにより構成されている。
基部２２ａは、コネクタ接続部２４の内部形状に対応した外形寸法に形成されており、コネクタ接続部２４に一方の開口から嵌め込まれ、係止凸部２５に係合することで、コネクタ接続部２４の前後方向中央部に配設される。
【００３０】
円筒部２２ｂは、基部２２ａの中央部で軸方向に延出して形成してある。円筒部２２ｂには金属製の円筒状スリーブ２２ｃが嵌め込まれている。円筒状スリーブ２２ｃは、コネクタ接続部２４に差し込まれた光コネクタのフェルールを保持する機能を有している。
【００３１】
ラッチ片２２ｄは、基部２２ａの円筒部２２ｂより外側の部分から前後方向に延出している。ラッチ片２２ｄは、基部２２ａを境に前方に２本、後方に２本がそれぞれ対向するように延出している。各ラッチ片２２ｄの先端は鈎状に形成されており、この先端鈎部が差し込まれてきたＳＣコネクタ４２のストッパ溝（図示せず）に係合して、各ＳＣコネクタ４２を保持する。
【００３２】
シャッタ板２３は、図３（ｂ）に示すように、アダプタ本体２１の厚さ方向一側面前部に基端部分が固定されており、そこからコネクタ接続部２４内に湾曲しながら延出している。シャッタ板２３は、各コネクタ接続部２４，２４の前部側空間にて、円筒状スリーブ２２ｃの前方を遮蔽している。このシャッタ板２３は、弾力的に撓むことができるばね性を有しており、コネクタ接続部２４にＳＣコネクタ４２が差し込まれたとき、ＳＣコネクタ４２によって内側面方向へ押し倒されて、同コネクタ４２の差し込み軌道から退避する。
【００３３】
アダプタ本体２１の厚さ方向他側面には、端縁から中央部方向へ差し込み案内用の切欠部２６が形成してあり、この切欠部２６にＳＣコネクタ４２のガイド突起４５が係合することにより、各ＳＣコネクタ４２が適正にコネクタ接続部２４へ差し込まれる構成となっている。このように切欠部２６によって案内されながらコネクタ接続部２４へ差し込まれたＳＣコネクタ４２は、先端中央部のフェルール４３が、円筒状スリーブ２２ｃに嵌合して保持される。
【００３４】
〔光アダプタの基本構造２：単芯用光アダプタ〕
図４は、単芯の光コネクタに対応した構成の光アダプタ（単芯用光アダプタ）を示す図で、（ａ）は斜視図、（ｂ）は縦断面図、（ｃ）は横断面図である。なお、図４において、先に示した図３と同一部分又は相当する部分には同一符号を付し、その部分の詳細な説明は省略する。
【００３５】
図４に示した単芯用光アダプタ２０Ｂは、図６（ｂ）に示すような単芯の光コネクタ４０Ｂに対応して構成されている。図６（ｂ）に示す単芯光コネクタ４０Ｂは、１個のＳＣコネクタ４２によって構成されており、このＳＣコネクタ４２に内蔵したフェルール４３に、１本の光ファイバー４４の先端が接続固定されている。
【００３６】
単芯用光アダプタ２０Ｂも、アダプタ本体２１と、内部接続ラッチ部材２２と、シャッタ板２３とを備えている。アダプタ本体２１は、内部に一つのコネクタ接続部２４が形成されているのみであり、したがって、アダプタ本体２１の幅寸法は、二芯用光アダプタ２０Ａよりも短くなっている。
コネクタ接続部２４は、図６（ｂ）に示した単芯光コネクタ４０Ｂが差し込み接続できる内部形状に形成されている。
なお、コネクタ接続部２４に内部接続ラッチ部材２２とシャッタ板２３が配設されている点、アダプタ本体２１の厚さ方向一側面に差し込み案内用の切欠部２６が形成されている点等は、二芯用光アダプタ２０Ａと同様である。
【００３７】
〔光アダプタの本体ケースへの取付構造〕
図３に戻り、二芯用光アダプタ２０Ａの外部形状をみると、アダプタ本体２１の幅方向両側面２１ｂ，２１ｂは、突き出し部分のない平坦面で構成してある。
従来の光アダプタは、この幅方向両側面から取付け用のフランジが突き出しており（特許文献１参照）、そのフランジが障害となって、光コンセント全体の幅寸法を短縮することができず、このことが既存の規格化された配線器具取付枠への対応が困難であったことは既述したとおりである。
これに対し、本実施形態の光コンセントは、アダプタ本体２１を幅方向両側面２１ｂ，２１ｂに突き出し部分のない外形状としたことにより、このアダプタ本体２１が装着される本体ケース１０内部の各アダプタ取付部１１，１２について、その幅寸法を縮小することができ、その結果、光コンセント全体の幅寸法を縮小して小形化を実現することができる。このようにして小形化を実現した本発明の光コンセントは、規格化された配線器具取付枠１にも容易に適合させることができる。
【００３８】
また、二芯用光アダプタ２０Ａのアダプタ本体２１には、厚さ方向両側面の中央部に、幅方向へ延在する凸部２７が形成してある。この凸部２７は、本体ケース１０に形成されたアダプタ取付部１１，１２にアダプタ本体２１を装着するための被係止部を構成している。
【００３９】
光アダプタとして、図３に示した二芯用光アダプタ２０Ａを用いるときは、本体ケース１０に設けられた各アダプタ取付部１１，１２が、二芯用光アダプタ２０Ａのアダプタ本体２１を収容可能な内部寸法に設定される。
図１に示すように、各アダプタ取付部１１，１２の対向する内面の中央部には、幅方向へ延在する凹部１３が形成してある。この凹部１３は上記アダプタ本体２１の凸部２７が係止される係止部を構成しており、これら凹部１３と凸部２７の係合をもって二芯用光アダプタ２０Ａが、本体ケース１０の各アダプタ取付部１１，１２に装着される。
【００４０】
図４に示した単芯用光アダプタ２０Ｂも、アダプタ本体２１の幅方向両側面２１ｂ，２１ｂは、突き出し部分のない平坦面で構成してある。この構成により、アダプタ本体２１が装着される本体ケース１０内部のアダプタ取付部１１，１２について、その幅寸法を縮小することができ、その結果、光コンセント全体の幅寸法を縮小して小形化を実現することができる。このようにして小形化を実現した本発明の光コンセントは、規格化された配線器具取付枠１にも容易に適合させることができる。
【００４１】
また、アダプタ本体２１には、厚さ方向両側面の中央部に、幅方向へ延在する凸部２７が形成してあり、この凸部２７が、本体ケース１０に形成されたアダプタ取付部１１，１２にアダプタ本体２１を装着するための被係止部を構成することは、上述した二芯用光アダプタ２０Ａと同様である。
【００４２】
光アダプタとして、単芯用光アダプタ２０Ｂを用いるときは、本体ケース１０に設けられた各アダプタ取付部１１，１２が、単芯用光アダプタ２０Ｂのアダプタ本体２１を収容可能な内部寸法に設定される。既述したように、アダプタ取付部１１，１２の対向する内面の中央部には、幅方向へ延在する凹部１３（係止部）が形成してあり（図１参照）、この凹部１３とアダプタ本体２１に形成した凸部２７（被係止部）との係合をもって、単芯用光アダプタ２０Ｂが本体ケース１０のアダプタ取付部１１，１２に装着される。
【００４３】
なお、本実施形態では、二芯用光アダプタ２０Ａ及び単芯用光アダプタ２０Ｂともに、アダプタ本体２１に形成された被係止部を凸部で、一方、本体ケース１０に形成された係止部を凹部で構成したが、これに限らず、被係止部を凹部とし、一方、係止部を凸部とすることもできる。
【００４４】
〔単芯用光アダプタ２０Ｂの寸法形状〕
上述した単芯用光アダプタ２０Ｂは、図５に示すように、幅方向に接触して２個並べた状態において、各単芯用光アダプタ２０Ｂのコネクタ接続部２４に差し込まれる光ファイバー４４間のピッチが、二芯光コネクタ４０Ａに固定された２本の光ファイバー４４，４４間のピッチＬとなるように、アダプタ本体２１の寸法形状を構成してある。
【００４５】
このように構成すれば、単芯用光アダプタ２０Ｂを２個用いて、二芯用光アダプタ２０Ａと同等の構成を実現することができる。したがって、単芯用光アダプタ２０Ｂだけで、二芯光コネクタ４０Ａに適合する構成の光コンセントを製造することもでき、部品の品種の削減を図ることが可能となる。
【００４６】
なお、本体ケース１０には、単芯用光アダプタ２０Ｂを２個幅方向に並べて収容可能な内部寸法で、アダプタ取付部１１，１２が形成してあり、さらに、アダプタ取付部１１，１２の対向する内面の中央部には、幅方向に延在する凹部１３（係止部）が形成してある。
各単芯用光アダプタ２０Ｂは、凸部２７（被係止部）をこの凹部１３に係合させることで装着されると同時に、図５（ａ）に示すように幅方向に並んだ状態に位置決めされる。したがって、２個の単芯用光アダプタ２０Ｂを容易に位置決めして本体ケース１０に組み込むことが可能となり、作業性が向上する。
【００４７】
〔本体ケース１０の構成部品と光コンセントの組立て方法〕
図７は光コンセントの構成部品を分解して示す側面断面図である。
本体ケース１０は、機器側外部ケース１４と、幹線側外部ケース１５と、機器側内部固定部材１６と、幹線側内部固定部材１７とで構成されている。
機器側外部ケース１４と幹線側外部ケース１５は、対向する開口部を合わせた状態で組み合わされて、その内部に中空部１０ａを形成する。
【００４８】
機器側内部固定部材１６は、ねじ等の締結具によって機器側外部ケース１４の内側に固定される。機器側アダプタ取付部１１は、機器側外部ケース１４の内面と機器側内部固定部材１６との間に形成される。その形成部位には、機器側外部ケース１４と機器側内部固定部材１６の双方に、凹部１３（係止部）が対向して設けてある。
【００４９】
幹線側内部固定部材１７には、先端に爪部を有する係合突起が形成してあり、この係合突起を幹線側外部ケース１５に設けた図示しない係合溝へ嵌め込むことで、幹線側外部ケース１５の内側に幹線側内部固定部材１７が固定される。幹線側アダプタ取付部１２は、幹線側外部ケース１５の内面と幹線側内部固定部材１７との間に形成される。その形成部位には、幹線側外部ケース１５と幹線側内部固定部材１７の双方に、凹部１３（係止部）が対向して設けてある。
【００５０】
次に、光コンセントの組み立て方法について説明する。
まず、機器側外部ケース１４の内側に形成した凹部１３（係止部）と、機器側内部固定部材１６に形成した凹部１３（係止部）とに、それぞれ幹線側の光アダプタ２０の凸部２７（被係止部）を嵌め合わせた状態で、機器側内部固定部材１６を機器側外部ケース１４の内側に組み付ける。これにより、機器側の光アダプタ２０が、本体ケース１０に装着される。
【００５１】
同様にして、幹線側外部ケース１５の内側に形成した凹部１３（係止部）と、幹線側内部固定部材１７に形成した凹部１３（係止部）とに、それぞれ機器側の光アダプタ２０の凸部２７（被係止部）を嵌め合わせた状態で、機器側内部固定部材１６を機器側外部ケース１４の内側に組み付ける。これにより、幹線側の光アダプタ２０が、本体ケース１０に装着される。
【００５２】
各光アダプタ２０，２０の間には、中継光ファイバー３０が接続されている。そして、機器側外部ケース１４と幹線側外部ケース１５とを組み合わせて、本体ケース１０を形成する。これにより、図１に示す構成の光コンセントが出来上がる。
【００５３】
なお、機器側外部ケース１４と機器側内部固定部材１６との組み合わせにより構成されるユニットには、その底部に保護板１８の出没構造が付設されている（図１参照）。保護板１８は、機器側アダプタ取付部１１の開口と対向する位置に、本体ケース１０の内部から出没自在となっている。
すなわち、保護板１８は、コイルばね等の付勢部材１８ａによって常時付勢されており、その不勢力をもって本体ケース１０から突き出す。また、保護板１８には、ストッパ機構１８ｂが設けてあり、本体ケース１０の内側へ押し込むと、このストッパ機構１８ｂに作用をもって本体ケース１０の内部に固定される。その状態から再度、保護板１８を押し込むと、ストッパ機構１８ｂが解除されて、保護板１８が本体ケース１０から突き出す構造となっている。この種のストッパ機構は公知であり、例えば、実開昭６３−１６５０７６号公報に開示されたラッチ装置を適用することができる。
【００５４】
保護板１８は、防塵用キャップの脱落を防止する機能を備えている。すなわち、機器側アダプタ取付部１１に装着された光アダプタ２０には、不使用時に防塵用のキャップ（図示せず）が嵌め込み可能となっている。この防塵用キャップを光アダプタ２０のコネクタ接続部２４に嵌め込み、保護板１８を突き出せば、保護板１８によって防塵用キャップの脱落が防止される。
【００５５】
なお、本発明は、上述した実施形態に限定されるものではない。
例えば、上記実施形態では、本体ケース１０に機器側アダプタ取付部１１と幹線側アダプタ取付部１２とを形成し、これら各アダプタ取付部１１，１２に光アダプタ２０，２０を装着するとともに、それら各光アダプタ２０，２０を中継光ファイバー３０によって光学的に接続していたが、このうち幹線側の光アダプタを省略し、直接、機器側光アダプタへ屋外から引き込まれた幹線側の光ファイバーを接続する構成としてもよい。
【００５６】
さらに、上述した実施の形態では、アダプタ本体２１は外観が四角形状をしているが、コネクタ接続部２４の形状および寸法が同一でＳＣコネクタ４２と嵌合可能であれば、四角形状に限られるものではない。
【図面の簡単な説明】
【００５７】
【図１】本発明の実施形態に係る光コンセントの全体構成を示す側面断面図である。
【図２】図１に示した光コンセントの配線器具取付枠への装着状態を示す側面断面図である。
【図３】二芯用光アダプタを示す図で、（ａ）は斜視図、（ｂ）は縦断面図、（ｃ）は横断面図である。
【図４】単芯用光アダプタを示す図で、（ａ）は斜視図、（ｂ）は縦断面図、（ｃ）は横断面図である。
【図５】単芯用光アダプタを２個並べた状態を示す図で、（ａ）は斜視図、（ｂ）は横断面図である。
【図６】（ａ）は二芯光コネクタを示す正面図、（ｂ）は単芯光コネクタを示す正面図である。
【図７】図１に示した光コンセントの構成部品を分解して示す側面断面図である。
【符号の説明】
【００５８】
１：配線器具取付枠
２：化粧プレート
１０：本体ケース
１０ａ：中空部
１１：機器側アダプタ取付部
１２：幹線側アダプタ取付部
１３：凹部（係止部）
１４：機器側外部ケース
１５：幹線側外部ケース
１６：機器側内部固定部材
１７：幹線側内部固定部材
１８：保護板
１８ａ：付勢部材
１８ｂ：ストッパ機構
２０：光アダプタ
２０Ａ：二芯用光アダプタ
２０Ｂ：単芯用光アダプタ
２１：アダプタ本体
２１ａ：隔壁
２１ｂ：幅方向側面
２２：内部接続ラッチ部材
２２ａ：基部
２２ｂ：円筒部
２２ｃ：円筒状スリーブ
２２ｄ：ラッチ片
２３：シャッタ板
２４：コネクタ接続部
２５：係止凸部
２６：切欠部
２７：凸部（被係止部）
３０：中継光ファイバー
３１，３２：フェルール
４０Ａ：二芯光コネクタ
４０Ｂ：単芯光コネクタ
４１：コネクタ連結部
４２：ＳＣコネクタ
４３：フェルール
４４：光ファイバー
４５：ガイド突起
【図１】
2008217043.tif 000003
【図２】
2008217043.tif 000004
【図３】
2008217043.tif 000005
【図４】
2008217043.tif 000006
【図５】
2008217043.tif 000007
【図６】
2008217043.tif 000008
【図７】
2008217043.tif 000009